(57)【要約】【課題】生体情報データを解析する健康管理システムにおいて、確実に定期的に生体情報データのアップロードがなされるようにする健康管理システムを提供すること。【解決手段】生体情報測定機器で測定した生体情報データを受信する端末生体データ受信部によって生体情報データを受信して、端末生体情報データ送信部を介して通信ネットワークによりサーバへ送信し、サーバより受信したアドバイスをアドバイス表示部により表示し、データ要請送信部によって前記生体情報測定機器へ生体情報データの送信を要請する。【選択図】　図２
2004135762.tif 000002
【特許請求の範囲】
【請求項１】
生体情報測定機器で測定した生体情報データを受信する端末生体データ受信部と、前記生体情報データを記憶する端末生体情報データ記憶部と、前記生体情報データを表示する端末生体情報データ表示部と、前記端末生体情報データ記憶部から生体情報データを読み出して送信を行う端末生体情報データ送信部と、前記端末生体情報データ記憶部から前記端末生体情報データ送信部へ転送するデータを選択する端末送信データ選択部と、アドバイスを受信するアドバイス受信部と、前記アドバイス受信部で受信したアドバイスを表示するアドバイス表示部と、前記端末生体情報データ送信部および前記アドバイス受信部とデータの送受信を行い通信ネットワークを介してサーバとのデータ通信を行うネットワーク通信部と、前記生体情報測定機器へ生体情報データの送信を要請するデータ要請送信部とで構成する健康管理端末。
【請求項２】
データ要請送信部は、前回端末生体情報データ受信部によって生体情報データを受信してからあらかじめ定めた時間を過ぎたときに前記生体情報測定機器へ生体情報データの送信を要請する請求項１記載の健康管理端末。
【請求項３】
データ要請送信部は、前記生体情報測定機器より生体情報データの送信要請に対する応答として新規データなしを受信したときに警告音を発生する請求項１または２記載の健康管理端末。
【請求項４】
請求項１から請求項３に示すいずれかの構成である健康管理端末の全体または一部をコンピュータで実現させるためのプログラム。
【発明の詳細な説明】
【０００１】
【発明の属する技術分野】
本発明は、家庭で健康管理に用いる健康管理端末および健康管理システムに関し、特に、アドバイスによる生活習慣の改善によって健康管理を行う健康管理システムを提供するものである。
【０００２】
【従来の技術】
近年、健康管理の方針として従来の病気の早期発見・早期治療（二次予防）から病気にならない健康づくり（一次予防）へと移ってきている。このような健康管理の手段の一つとして、体重、体脂肪率、血圧等の測定データを通信ネットワークで送信してアドバイスを返すことによる指導を行うことが行われてきている。
【０００３】
従来、この種の健康管理システムとしては、健康管理端末と通信ネットワークを介してつながるサーバおよび健康管理端末に接続された複数の生体情報測定機器によって構成されたものがある（例えば特許文献１参照）。
【０００４】
図８は、前記公報に記載された従来の健康管理システムを示すものである。図８においては、生体情報測定機器３によって体重、体脂肪率、血圧等の測定を行い、接続された健康管理端末１を使って測定した生体情報データを通信ネットワーク４を介してサーバ２へ送信する。サーバ２では、受信した生体情報データをもとに診断を行い通信ネットワーク４を介して健康管理端末１へアドバイスを返すことによって、健康管理端末１により表示や印字を行って健康管理対象者はアドバイスを得ることができる。
【０００５】
【特許文献１】
特開２００２−１５０６８号公報（第４−５頁、第３図）
【０００６】
【発明が解決しようとする課題】
しかしながら、上記に示す従来例のようにすることは、健康管理対象者の不定期に測定した生体情報データのみに対してアドバイスを生成することになるため、医療的に健康管理に必要なタイミングでのアドバイスを十分に行うことができるとは言いがたい。
【０００７】
本発明は上記従来の課題を解決するもので、医療的に健康管理アドバイスが必要なタイミングで生体情報測定機器へ新規データを要請して生体情報データの受信を行うことで、アドバイスを的確なタイミングで更新して健康管理対象者に必要な生活改善のアドバイスのみの随時通知を行える健康管理端末の提供を目的とする。
【０００８】
【課題を解決するための手段】
前記従来の課題を解決するために、本発明の健康管理端末は、生体情報測定機器から生体情報データを受信して通信ネットワークを介してサーバへ送信してアドバイスを得るもので、生体情報測定機器へ生体情報データの送信を要請するデータ要請送信部を有するものである。これによって、必要なときに生体情報測定機器へ新規データを要請して生体情報データの受信を行って、アドバイスを的確なタイミングで更新して健康管理対象者に必要な生活改善のアドバイスのみを随時通知するものである。
【０００９】
【発明の実施の形態】
請求項１に記載の発明は、健康管理端末を生体情報測定機器で測定した生体情報データを受信する端末生体データ受信部と、前記生体情報データを記憶する端末生体情報データ記憶部と、前記生体情報データを表示する端末生体情報データ表示部と、前記端末生体情報データ記憶部から生体情報データを読み出して送信を行う端末生体情報データ送信部と、前記端末生体情報データ記憶部から前記端末生体情報データ送信部へ転送するデータを選択する端末送信データ選択部と、アドバイスを受信するアドバイス受信部と、前記アドバイス受信部で受信したアドバイスを表示するアドバイス表示部と、前記端末生体情報データ送信部および前記アドバイス受信部とデータの送受信を行い通信ネットワークを介してサーバとのデータ通信を行うネットワーク通信部と、前記生体情報測定機器へ生体情報データの送信を要請するデータ要請送信部とで構成することで、健康管理端末より生体情報測定機器へ新規データの送信を要請することで、確実に新規データをサーバへ通知できる。
【００１０】
請求項２に記載の発明は、特に請求項１記載のデータ要請送信部が、前回端末生体情報データ受信部によって生体情報データを受信してからあらかじめ定めた時間を過ぎたときに前記生体情報測定機器へ生体情報データの送信を要請することで、定期的に健康管理端末より生体情報測定機器へ新規データの送信を要請するので、必要なタイミングで新規データをサーバへ通知して的確なアドバイスを受けることができる。
【００１１】
請求項３に記載の発明は、特に、請求項１または２記載のデータ要請送信部が、前記生体情報測定機器より生体情報データの送信要請に対する応答として新規データなしを受信したときに警告音を発生することで、健康管理対象者に対して必要なタイミングでの生体情報データの測定を促し、必要なタイミングで新規データをサーバへ通知して的確なアドバイスを受けることができる。
【００１２】
請求項４記載の発明は、特に請求項１から請求項３に示すいずれかの構成である健康管理端末の全体または一部をコンピュータで実現させるためのプログラムである。これによって家庭にある汎用コンピュータで健康管理端末を容易に実現することができる。
【００１３】
【実施例】
以下に、本発明の実施例について、図面を参照しながら説明する。
【００１４】
図１は、本発明の実施例における健康管理システムの構成図であり、図２は健康管理端末のブロック図、図３はアドバイス装置のブロック図、図４は生体情報測定機器のブロック図である。
【００１５】
図１において、１は健康管理端末で、家庭で健康管理対象者が使用して健康管理を行うもので、通信ネットワークとしてのインターネット網４に接続している。２はサーバとして用いるアドバイス装置で、健康管理対象者に対するアドバイスを生成するもので、インターネット網４に接続している。３は生体データを取得して記憶する生体情報測定機器で、体脂肪体重計３Ａ、血圧計３Ｂ、運動量計３Ｃなどの家庭で健康管理対象者が使用して測定できる機器であればよい。
【００１６】
インターネット網４は、公衆電話回線、携帯電話網、ＬＡＮ、専用線などをインターネットサービスプロバイダ（ＩＳＰ）によって相互接続して健康管理端末１やアドバイス装置２の複数の端末装置間で共通プロトコルを用いたデータ伝送を行うための通信ネットワークとして使用する。
【００１７】
健康管理端末１の構成は図２に示すように、１０１はインターネット網４とデータ通信を行うネットワーク通信部としての健康管理端末用インターネット通信部、１０２は健康管理端末用インターネット通信部１０１を介してアドバイス装置２よりアドバイスを受信するアドバイス受信部、１０３はアドバイス受信部１０２で受信したアドバイスを表示するアドバイス表示部、１０４は生体情報測定機器３で測定した生体情報データを受信する端末生体情報データ受信部、１０５は生体情報データ受信部１０４で受信した生体情報データを記憶する端末生体情報データ記憶部、１０６は生体情報データ記憶部１０５で記憶している生体情報データを表示する端末生体情報データ表示部、１０７はアドバイス表示部１０３や端末生体情報データ表示部１０６からの内容をそれぞれ画面に表示する表示部、１０８は端末生体情報データ記憶部１０５からアドバイス端末２へ送信するデータを選択する端末送信データ選択部、１０９は端末送信データ選択部１０８によって選択したデータを端末生体情報データ記憶部１０５から読み出して健康管理端末用インターネット通信部１０１を介してインターネット網４へ送信する端末生体情報データ送信部、１１０は生体情報測定機器３に対して新規に測定した生体情報データの送信要請を行うデータ要請送信部である。
【００１８】
健康管理端末１の形状は例えば図５に示すように、液晶画面で構成する表示部１０７と、押しボタンスイッチで構成する端末送信データ選択部１０８を前面に配置し、生体情報測定機器３からの生体情報データはアンテナ５０１より無線で受信し、アドバイス装置２とのアドバイスの受信や生体情報データの送信は図２に示すインターネット通信部１０１を介して公衆電話網よりインターネット網４に接続することよって行う。つまり、公衆電話網によってインターネット網４に接続してアドバイス端末２と通信を行うダイヤルアップデータ通信機能を有している。
【００１９】
図５に示す健康管理端末１は、電磁波を用いた無線により生体情報測定機器との通信を行うものとしているために、体脂肪体重計やトイレ内測定機器（体脂肪計や尿糖センサ）のように生体情報測定機器そのものが移動困難な場合でも健康管理端末１との間で測定データの送受信が可能である。
【００２０】
アドバイス装置２の構成は図３に示すように、２０１はインターネット網４を介してデータの送受信を行うアドバイス装置用インターネット通信部で、２０２はアドバイス装置用インターネット通信部２０１で受信したデータより健康管理端末１からの生体情報データを受信する生体情報データ受信部、２０３は生体情報データ受信部２０２で受信したデータをもとにアドバイス要素の算出を行いアドバイスを生成するアドバイス生成部、２０４はアドバイス生成部２０３によって生成したアドバイスを健康管理対象者に閲覧できるように健康管理対象者用閲覧場所に登録するアドバイス通知部、２０５は健康管理対象者が閲覧できるデータベースであるアドバイスデータベース、２０６は生体情報データ受信部２０２によって受信した生体情報データやアドバイス生成部２０３で生成したアドバイス要素を記憶するアドバイスデータ記憶部である。
【００２１】
生体情報測定機器の構成は図４に示すように、３０１は生体情報測定のためのセンサで構成される生体情報データ測定部、３０２は生体情報データ測定部３０１で測定したデータを記憶する機器生体情報データ記憶部、３０３は機器生体情報データ記憶部３０２に記憶した生体情報データを表示する機器生体情報データ表示部、３０４は機器生体情報データ記憶部３０２から健康管理端末１へ送信するデータを選択する機器送信データ選択部、３０５は機器送信データ選択部３０４によって選択したデータを機器生体情報データ記憶部３０２から読み出して送信する機器生体情報データ送信部、３０６は健康管理端末１と無線通信を行う無線通信部、３０７は健康管理端末１より新規に測定した生体情報データの送信要請を受信するデータ要請受信部である。
【００２２】
以上の健康管理システムにおける健康管理対象者の健康管理の手順を図１から図５の構成図、ブロック図、概観図および図６から図７の健康管理の流れを示す図を参照して説明する。
【００２３】
まず、身長、喫煙量、飲酒量、睡眠時間、ストレス度合い、食事習慣、運動習慣、既往症、自覚症状、家族遺伝性疾患等の生活内容データを事前アンケートとして取得し、健康管理対象者毎に割り当てたユーザＩＤや個人データとして氏名、性別、生年月日等の個人を特定する個人情報とともにアドバイスデータ記憶部２０６に記録させておく。
【００２４】
次に、健康管理対象者は基本データとして体調が安定している平常時の生体情報を測定する。平常時の生体情報データは、体脂肪体重計３Ａによる体重と体脂肪率、血圧計３Ｂによる安静時の血圧と安静時の脈拍数、運動量計３Ｃによる通常生活時の一日の運動量である。
【００２５】
例えば、体脂肪体重計３Ａでは、生体情報データ測定部３０１によって体重および体脂肪率を測定する。測定した生体情報データは機器生体情報データ記憶部３０２に記憶され、同時に機器生体情報データ表示部３０３によって表示される。健康管理対象者は、表示された生体情報データを確認し、正常に測定できたことを確認した後、送信すべき生体情報データを表示されているものより機器生体情報データ選択部３０４によって選択する。選択された生体情報データは、機器生体情報データ送信部３０５より無線通信部３０６を介して無線によって健康管理端末１へ送信される。
【００２６】
健康管理装置１は生体情報データをアンテナ５０１によって端末生体情報データ受信部１０４を介して受信し（図６のＳ６０１）、表示部１０７の端末生体情報データ表示部１０５によって体重および体脂肪率を表示し、同時に端末生体情報データ記憶部１０５に体重および体脂肪率をデータの受信日時とともに記憶する（Ｓ６０２）。
【００２７】
さらに、健康管理対象者は、測定した生体情報測定データを表示部１０７によって確認した後、アドバイス装置２へ返送するデータを端末送信データ選択部１０８によって選択し（Ｓ６０３）、選択したデータを端末生体情報データ記憶部１０５より端末生体情報データ送信部１０９より健康管理端末用インターネット通信部１０１を介してインターネット網４へ送出する（Ｓ６０４）ことで、記憶している生体情報測定データの内から少なくとも１項目以上を健康管理対象者を特定するユーザＩＤとともに送信する。健康管理装置１からはインターネットプロバイダへ電話をかけることでダイヤルアップ接続を行ってインターネット網４を介してアドバイス装置２へ生体情報データを送信する。
【００２８】
アドバイス装置２への生体情報データの受け渡しは、電子メールでの送信、ファイル転送（例えばＦＴＰ）やデータ転送（例えばＨＴＴＰ）で送信するなどの方法をシステムの規模や各端末装置の性能などを考慮して適切に選択すればよい。また、送信データには、生体情報データには個人を特定するユーザＩＤを添付して送信するため、アドバイス装置２は個人を特定して生体情報データを受信することができる。
【００２９】
アドバイス装置２では、インターネット網４よりアドバイス装置用インターネット通信部２０１を介してユーザＩＤを含む生体情報データを生体情報データ受信部２０２によって受信する（図７のＳ７０１）。アドバイス生成部３０３は、受信したユーザＩＤより個人を特定して生体情報データからアドバイス作成のための必要項目の抽出処理を行い（Ｓ７０２）、抽出した項目を用いてアドバイスを作成するためのアドバイス要素の計算処理を行い（Ｓ７０３）、求められた各要素に基づいて健康管理のためのアドバイスを作成する（Ｓ７０４）。作成されたアドバイスは、アドバイス通知部２０４によってアドバイスデータベース２０５に健康管理対象者専用のデータとして記憶を行うことでアドバイスの登録処理を行う（Ｓ７０５）。
【００３０】
アドバイスとしては、就寝時間や運動時間などの生活習慣の改善指導、食事メニューや間食などに関する食事指導の中から健康管理対象者の健康改善にとって必要な項目のみを登録する。
【００３１】
健康管理端末１では、アドバイス装置２へのアドバイス要求を行って、アドバイス装置２のアドバイスデータベース２０５よりインターネット網４を介して健康管理対象者のユーザＩＤをもとにして健康管理対象者に対するアドバイスをアドバイス受信部１０１によって受信し（図６のＳ６０６）、表示部１０７のアドバイス表示部１０３によってアドバイスを表示する（Ｓ６０７）。健康管理対象者専用のデータへのアクセスは、ユーザＩＤを該データへのアクセスコードとして事前に健康管理対象者の使用する健康管理端末１へ登録しておき、健康管理装置１からアドバイス装置２へのアドバイス要求に健康管理対象者を特定するためのユーザＩＤを含めることで健康管理対象者専用のデータへのアクセスを許可する。
【００３２】
アドバイス表示部１０３で表示されるアドバイス内容は、健康管理対象者専用のデータとして登録された内容で、就寝時間や運動時間などの生活習慣の改善指導、食事メニューや間食などに関する食事指導などの中から健康管理対象者の健康改善にとって必要な項目のみが示される。
【００３３】
健康管理対象者は、毎日定期的に体脂肪体重計３Ａ、血圧計３Ｂ、運動量計３Ｃにより生体情報データを測定して上記操作を繰り返して生体情報データを健康管理端末１よりアドバイス装置２へ送信し、アドバイスデータベース２０５を確認することで新規のアドバイスが登録されているかを確認して（図６のＳ６０５）、新規のアドバイスがあればアドバイスを受信（Ｓ６０６）してアドバイスを表示する（Ｓ６０７）。
【００３４】
アドバイス装置２は、アドバイス装置用インターネット通信部２０１を介して新たな生体情報データを受信すると（図７のＳ７０６）、生体情報データ受信部２０２によって生体情報データを読み込み（Ｓ７０７）、アドバイス生成部２０３は受信した生体情報データを用いてアドバイスを修正するためのアドバイス要素の計算処理を行い（Ｓ７０８）、求められた各要素に基づいて健康管理のためのアドバイスを修正する（Ｓ７０９）。作成された修正アドバイスは、アドバイス通知部２０４によってアドバイスデータベース２０５に健康管理対象者専用のデータとして記憶を行うことで修正アドバイスを初期のアドバイスと同等に登録処理を行う（Ｓ７０５）。
【００３５】
また、生体情報データ受信部２０２で受信した生体情報データやアドバイス生成部２０３で算出したアドバイス要素はすべてアドバイスデータ記憶部２０６によって順次記憶しており、アドバイスを修正するためのアドバイス要素の計算処理には、過去のアドバイス要素や生体情報データも用いて新たなアドバイス要素の算出を行う。
【００３６】
ところで、生体情報データは定期的に測定することで健康管理対象者の健康度を評価するものであるから、生体情報データが一定時間（たとえば２４時間）以上健康管理端末１によって受信されていない場合、データ要請送信部１１０は生体情報測定機器３のそれぞれに対して新規の生体情報データが測定されていないかを確認するためにデータ要請を無線で送信する。
【００３７】
生体情報測定機器３は、無線通信部３０６を介してデータ要請受信部３０７によってデータ要請を受信すると、機器生体情報データ記憶部３０２を確認して未送信の新規データが存在するかどうかを確認し、新規データが存在するときは新規データを機器生体情報データ送信部３０５より無線通信部３０６を介して無線で健康管理端末１へ送信する。新規データが存在しないときは、新規データなしの旨を機器生体情報データ送信部３０５より無線通信部３０６を介して無線で健康管理端末１へ送信する。
【００３８】
健康管理端末１で受信された新規の生体情報データは上記手順と同様にアドバイス装置２へ送信され、健康管理対象者はアドバイスを得ることができる。
【００３９】
以上のように、本実施例によれば、家庭で測定できる生体情報データをもとにした健康管理アドバイスを健康管理端末で確認することによって健康管理を行うことができ、さらに生体情報測定機器からの送信忘れがあっても健康管理端末から確認を行うことで常に新しいアドバイスを定期的に得ることができる。
【００４０】
なお、上記実施例においては、データ要請送信部が一定時間以上の新規生体情報データ受信がないときにデータ要請を送信することとしたが、サーバに生体情報データが一定時間以上送信されないときにサーバから健康管理端末に通知してこれをデータ要請部が生体情報測定機器へ送信することとすれば、サーバがアドバイスの更新が必要なタイミングと判断した時点でデータ要請ができるため、必要なデータのみの転送を行うことができる。
【００４１】
また、生体情報測定機器はデータ要請を受信すると、新規データの有無を確認するのみとしたが、新規データのない場合には生体情報測定機器または健康管理端末において音声で警告音を発生して健康管理対象者に生体情報データの測定を促すこととすれば、定期的な測定を忘れることなく的確なアドバイスを得ることができる。
【００４２】
また、生体情報測定機器と健康管理端末の間の通信を電磁波無線で行うこととしたが、生体情報測定機器と健康管理端末のいくつかとを有線で接続したり、一体化すれば小型、安価な生体情報測定機器にまで電磁波無線を付ける必要がなく、システムをより簡易、安価にすることができ、さらに電磁波無線でなく赤外線等の光通信にすれば一室程度の距離を離れても通信可能なため、生体情報測定機器の持ち運びと安価な設計の両方を実現することができる。
【００４３】
また、アドバイス装置の各機能はＣＰＵと記憶部とインターネット通信部を有したワークステーションやパソコンで構成し、各処理は記憶部に書きこまれたプログラムに従って実行することとすれば、アドバイス作成の基準パラメータの変更等が容易にできる。
【００４４】
また、これらの装置をコンピュータに実行させるためのプログラムやデータを実現することで、家庭や会社にある汎用コンピュータで容易に実現することができる。また、そのプログラムやデータを記録した記録媒体を用いることでソフトウエアを汎用コンピュータにインストールする作業が容易にできる。
【００４５】
また、本実施例ではアドバイス装置の健康管理端末からのアクセスを直接データベースから読み出す構成としたが、アドバイス装置用インターネット通信部がＷＥＢサーバおよびデータベースサーバの機能を有することとすれば、健康管理端末ではアドバイス装置のホームページを開いて、ＣＧＩ等の機能を用いてアドバイスデータベースから個人のアドバイスを閲覧することができ、健康管理端末にはホームページブラウザのみがあれば特別なデータベースアクセス用の機能が必要でなくなる。
【００４６】
また、アドバイスはアドバイス装置のアドバイスデータベースに登録するようにしたが、電子メールによって健康管理端末へ直接送信するようにすれば、アドバイス装置に大きなデータベースの容量が不要になり、健康管理端末には電子メールの送受信機能のみでデータベースアクセスの機能が不要になる。
【００４７】
また、本実施例ではインターネット網によって各端末装置を接続する構成としたがデータ伝送を行うためには公衆電話回線や携帯電話網のみによるデータ通信を行うこととしても問題はなく、さらに独自通信プロトコルとすれば外部からのデータ傍受を防ぐことができるので、通信データ保護の面からは効果的である。
【００４８】
また、健康管理端末として生体情報測定機器からの生体情報データを受信できる携帯電話を用いれば、個人所有の携帯電話の電話番号やシリアル番号をユーザＩＤとして使用することで、特別なユーザＩＤ管理をする必要がなくなる。
【００４９】
【発明の効果】
以上のように本発明によれば、必要なときに生体情報測定機器へ新規データを要請して生体情報データの受信を行って、アドバイスを的確なタイミングで更新して健康管理対象者に必要な生活改善のアドバイスのみを随時通知して、より確実に生活改善を促すことができる。
【図面の簡単な説明】
【図１】本発明の実施例における健康管理システムの構成図
【図２】本発明の実施例における健康管理端末のブロック図
【図３】本発明の実施例におけるアドバイス装置のブロック図
【図４】本発明の実施例における生体情報測定機器のブロック図
【図５】本発明の実施例における健康管理端末の概観図
【図６】本発明の実施例における健康管理端末の動作を示すフローチャート
【図７】本発明の実施例におけるアドバイス装置の動作を示すフローチャート
【図８】従来の健康管理装置の動作を示すフローチャート
【符号の説明】
１　健康管理端末
２　アドバイス装置（サーバ）
３　生体情報測定機器
４　インターネット網（通信ネットワーク）
１０１　健康管理端末用インターネット通信部
１０２　アドバイス受信部
１０３　アドバイス表示部
１０４　生体情報データ受信部
１０５　生体情報データ記憶部
１０６　生体情報データ表示部
１０７　表示部
１０８　送信データ選択部
１０９　生体情報データ送信部
２０１　アドバイス装置用インターネット通信部
２０２　生体情報データ受信部
２０３　アドバイス生成部
２０４　アドバイス通知部
２０５　アドバイスデータベース
２０６　アドバイスデータ記憶部
３０１　生体情報データ測定部
３０２　機器生体情報データ記憶部
３０３　機器生体情報データ表示部
３０４　機器生体情報データ選択部
３０５　機器生体情報データ送信部
３０６　無線通信部
３０７　データ要請受信部
５０１　アンテナ
【図１】
2004135762.tif 000003
【図２】
2004135762.tif 000004
【図３】
2004135762.tif 000005
【図４】
2004135762.tif 000006
【図５】
2004135762.tif 000007
【図６】
2004135762.tif 000008
【図７】
2004135762.tif 000009
【図８】
2004135762.tif 000010